(57)【要約】  表示品質の低下を防ぐことが可能な光源ユニット、照明装置、表示装置およびテレビ受信装置を提供する。本発明の光源ユニットにおいては、複数の導光体２７は、第１の方向と第１の方向に略直交する第２の方向とに並べて配置されるようになっており、導光体２７は扁平な形状をなすとともに、入射光を出射する出射部２７Ａと、入射光を出射部２７Ａへ導く導光部２７Ｂとを有し、また、第２の方向に隣接する導光体２７同士の互いに対向する両側縁部には、表裏方向にずれて張り出す張出部４０が設けられ、複数の導光体２７は、第１の方向においては、一の導光体２７の導光部２７Ｂの表側に他の導光体２７の出射部２７Ａを重ねるようにして並べられ、第２の方向においては、張出部４０を表裏方向に重ねるようにして並べられている。
2010067674.tif 000002
【特許請求の範囲】
【請求項１】
光源と、前記光源からの入射光を導光する導光体とが複数並べて配置された光源ユニットであって、
前記導光体は、
第１の方向と前記第１の方向に略直交する第２の方向とに並べて配置され、
前記入射光を出射する出射部と、前記入射光を前記出射部へ導く導光部とを有するとともに、
前記第２の方向に隣接する前記導光体同士の互いに対向する両側縁部には、互いに表裏方向にずれて張り出す張出部が設けられ、
前記第１の方向においては、一の導光体の導光部の表側に他の導光体の出射部が重ねられ、前記第２の方向においては、前記張出部が表裏方向に重ねられている光源ユニット。
【請求項２】
前記張出部は、前記導光体の導光部に設けられている請求の範囲第１項に記載の光源ユニット。
【請求項３】
前記張出部は、前記導光体の出射部に設けられている請求の範囲第１項に記載の光源ユニット。
【請求項４】
前記張出部は、前記導光体の前記導光部から前記出射部にわたる範囲に設けられている請求の範囲第１項に記載の光源ユニット。
【請求項５】
前記表裏方向に重なり合う前記張出部のうち前記表裏方向に対向する面は、略同一勾配をなす傾斜面である請求の範囲第１項ないし請求の範囲第４項のいずれか一項に記載の光源ユニット。
【請求項６】
前記表裏方向に重なり合う前記張出部のうち前記表裏方向に対向する面は、前記導光体の板面に対して略平行な平坦面である請求の範囲第１項ないし請求の範囲第４項のいずれか一項に記載の光源ユニット。
【請求項７】
前記導光体の裏側には、少なくとも前記出射部に対応する部分に反射シートが設けられている請求の範囲第１項ないし請求の範囲第６項のいずれか一項に記載の光源ユニット。
【請求項８】
前記複数の導光体の裏側には、前記第２の方向に隣接する前記導光体間に跨って、補助反射シートが配置されている請求の範囲第１項ないし請求の範囲第７項のいずれか一項に記載の光源ユニット。
【請求項９】
前記導光体は、複数が前記第２の方向に並んだ状態で一体に設けられて一枚の導光板を構成するものであり、少なくとも前記導光板のうち前記導光体の並列方向の両端の縁部に前記張出部が設けられている請求の範囲第１項ないし請求の範囲第８項のいずれか一項に記載の光源ユニット。
【請求項１０】
前記複数の導光体の間にはスリットが入れられており、前記導光板には、前記並列方向の両端の縁部に加えて前記スリットにも前記張出部が設けられている請求の範囲第９項に記載の光源ユニット。
【請求項１１】
請求の範囲第１項ないし請求の範囲第１０項のいずれか一項に記載の光源ユニットと、前記光源ユニットの光出射面側に配された光学部材とを備える照明装置。
【請求項１２】
請求の範囲第１１項に記載の照明装置と、前記照明装置からの光を利用して表示を行う表示パネルとを備える表示装置。
【請求項１３】
前記表示パネルが液晶を用いた液晶パネルである請求の範囲第１２項に記載の表示装置。
【請求項１４】
請求の範囲第１２項または請求の範囲第１３項に記載の表示装置を備えるテレビ受信装置。
【発明の詳細な説明】
【技術分野】
【０００１】
本発明は、光源ユニット、照明装置、表示装置およびテレビ受信装置に関する。
【背景技術】
【０００２】
従来より、例えば表示パネル用の照明装置として、光源と、この光源からの入射光を出射する導光体とを、複数並べて配置した光源ユニットを有する照明装置が知られている（例えば特許文献１）。このような光源ユニットを有する照明装置は、例えば一枚の導光板の側面から光を入射するサイドエッジ方式の照明装置に比べて、表示パネルの全体を高輝度で照明することが可能である等の利点がある。
【特許文献１】特開２００４−２６５６３５公報
【０００３】
（発明が解決しようとする課題）
ところで、上記のような光源ユニットを有する照明装置においては、導光体の熱膨張・熱収縮を許容するべく、隣り合う導光体の間に隙間を空けて導光体を並べることが多い。しかしながら、すべての導光体を一定の間隔で配置することは難しいため、導光体の配置にばらつきが生じ、導光体間の間隔が所定の間隔よりも広くなったり狭くなったりするおそれがある。ここで、導光体の間の隙間は発光しないため、この隙間が大きくなると、並列する複数の導光体の境界に沿って暗線が表示され、表示品質の低下を招くことが懸念されていた。
【発明の開示】
【０００４】
本発明は上記のような事情に基づいて完成されたものであって、表示品質の低下を防ぐことが可能な光源ユニット、照明装置、表示装置およびテレビ受信装置を提供することを目的とする。
【０００５】
（課題を解決するための手段）
本発明の光源ユニットは、光源と、前記光源からの入射光を導光する導光体とを複数並べて配置した光源ユニットであって、前記導光体は、第１の方向と前記第１の方向に略直交する第２の方向とに並べて配置され、前記入射光を出射する出射部と、前記入射光を前記出射部へ導く導光部とを有するとともに、前記第２の方向に隣接する前記導光体同士の互いに対向する両側縁部には、互いに表裏方向にずれて張り出す張出部が設けられ、前記第１の方向においては、一の導光体の導光部の表側に他の導光体の出射部が重ねられ、前記第２の方向においては、前記張出部が表裏方向に重ねられている。
このような構成によれば、導光体の配置にばらつきが生じても、導光体間には、表裏方向に真っ直ぐ貫くような隙間が、大きく開きにくくなる。したがって、複数の導光体の間に暗線が表示されることを防止できるから、表示品質の低下を防ぐことができる。
【０００６】
前記張出部は、前記導光体の導光部に設けられているものとしてもよい。このような構成によれば、表裏方向に重なった張出部が、その表側に位置する導光体の出射部の間に配され、張出部から漏れ出た光が出射部の間の隙間を照らすから、暗線が表示されて表示品質が低下することを防止できる。
【０００７】
また、前記張出部は、前記導光体の出射部に設けられているものとしてもよい。このような構成によれば、出射部の張出部が表裏方向に重なるから、出射部の間には表裏方向に真っ直ぐ貫くような隙間が大きく開きにくく、もって暗線が表示されて表示品質が低下することを防ぐことができる。
また、前記張出部は、前記導光体の前記導光部から前記出射部にわたる範囲に設けられているものとしてもよい。
【０００８】
前記表裏方向に重なり合う前記張出部のうち前記表裏方向に対向する面は、略同一勾配をなす傾斜面であるものとしてもよい。
前記表裏方向に重なり合う前記張出部のうち前記表裏方向に対向する面は、前記導光体の板面に対して略平行な平坦面であるものとしてもよい。
【０００９】
前記導光体の裏側には、少なくとも前記出射部に対応する部分に反射シートが設けられているものとしてもよい。
また、前記複数の導光体の裏側には、前記第２の方向に隣接する前記導光体間に跨って、補助反射シートが配置されているものとしてもよい。このような構成によれば、導光体から漏れた光は反射シートに反射され、第２の方向に隣接する導光体の間を照らすから、暗線が表示されることを防止することができる。
【００１０】
前記導光体は、複数が前記第２の方向に並んだ状態で一体に設けられて一枚の導光板を構成するものであり、少なくともこの導光板のうち前記導光体の並列方向の両端の縁部に前記張出部が設けられているものとしてもよい。
また、前記複数の導光体の間にはスリットが入れられており、前記導光板には、前記並列方向の両端の縁部に加えて前記スリットにも前記張出部が設けられているものとしてもよい。
【００１１】
本発明の照明装置は、前記光源ユニットと、この光源ユニットの光出射面側に配された光学部材とを備える。
本発明の表示装置は、前記照明装置と、この照明装置からの光を利用して表示を行う表示パネルとを備える。
前記表示パネルが液晶を用いた液晶パネルであるものとしてもよい。
本発明のテレビ受信装置は、前記表示装置を備える。
【００１２】
（発明の効果）
本発明によれば、表示品質の低下を防ぐことが可能な光源ユニット、照明装置、表示装置およびテレビ受信装置を提供することができる。
【図面の簡単な説明】
【００１３】
【図１】実施形態１にかかるテレビ受信装置の概略を示す分解斜視図
【図２】液晶表示装置の概略を示す分解斜視図
【図３】光源ユニットの表面図
【図４】液晶表示装置の長手方向の一端部における断面図
【図５】液晶表示装置の短手方向の一端部における断面図
【図６】導光板の表面図
【図７】導光板の裏面図
【図８】導光板の並列状態を表す表面図
【図９】図５のＡ−Ａ位置における光源ユニットの一部拡大断面図
【図１０】実施形態２にかかる液晶表示装置の長手方向の一端部における断面図
【図１１】他の実施形態（３）にかかる導光板の表面図
【図１２】他の実施形態（４）にかかる導光板の表面図
【図１３】他の実施形態（５）にかかる導光板の表面図
【符号の説明】
【００１４】
ＴＶ…テレビ受信装置、１０，７０…液晶表示装置（表示装置）、１１…液晶パネル（表示パネル）、１３…バックライト装置（照明装置）、１４…ＬＥＤ（光源）、１５…導光板、１６…光源ユニット、２６…スリット、２７…単位導光体（導光体）、２７Ａ…出射部、２７Ｂ…導光部、４０，７１，８０，９０，１００…張出部、４１…傾斜面、５１…反射シート、５２…補助反射シート、５３…光学部材、７２Ａ，７２Ｂ…平坦面
【発明を実施するための最良の形態】
【００１５】
＜実施形態１＞
以下、本発明の実施形態１を図１〜図９によって説明する。
本実施形態では、液晶表示装置１０（表示装置）を備えるテレビ受信装置ＴＶについて例示する。テレビ受信装置ＴＶは、図１に示すように、液晶表示装置１０と、液晶表示装置１０を表裏から挟むようにして収容するキャビネットＣＡ，ＣＢと、電源Ｐと、テレビ放送などを受信するためのチューナーＴＮと、スタンドＳとを備えている。液晶表示装置１０は、表示面を略垂直方向に向けた縦置き姿勢でキャビネットＣＡ，ＣＢ内に収容されている。以下、各構成部材において、図１の左下側（テレビ受信装置ＴＶの正面側、表示側）を表方、右上側を裏方として説明する。なお、図面中に示したＸ軸方向は、液晶表示装置１０の長手方向に沿う方向、Ｙ軸方向は、液晶表示装置１０の短手方向に沿う方向（正側が上側、負側が下側）、Ｚ軸方向は、液晶表示装置１０の表裏方向（正側が表側、負側が裏側）を表す。Ｙ軸方向は、本発明の第１の方向に該当し、Ｘ軸方向は、同、第２の方向に該当する。【００１６】
液晶表示装置１０は、表裏方向から見ると全体として横長な矩形状をなし、画像を表示可能な液晶パネル１１（本発明の表示パネルに該当する）と、液晶パネル１１に向けて光を照射する外部光源であるバックライト装置１３（本発明の照明装置に該当する）とを有し（図２参照）、これらがベゼル５８等の保持部材により一体的に保持されている。【００１７】
液晶パネル１１は、横長の矩形状をなす一対の透明な（透光性を有する）ガラス製の基板と、両基板の間に介在し、電圧印加に伴って光学特性が変化する液晶層（図示せず）とを有してなる。なお、液晶パネル１１の表面および裏面には、偏光板１２が貼り付けられている（図４または図５参照）。【００１８】
バックライト装置１３は、所謂直下型のバックライト装置１３であって、液晶パネル１１の背面直下に備えられている。バックライト装置１３は、ＬＥＤ１４（本発明の光源に該当する）と、ＬＥＤ１４から入射された光（入射光）を出射する導光板１５とを、平面状に複数並べて配置した光源ユニット１６を有している。【００１９】
光源ユニット１６は、裏面側（液晶パネル１１とは反対側）に凹む浅皿状のシャーシ１７を備えている。シャーシ１７は金属製であり、底面（表面）には、表面実装型のＬＥＤ１４が実装された複数枚のＬＥＤ基板１８が配設されている。【００２０】
ＬＥＤ基板１８は合成樹脂製であって、その表面は、光の光反射性に優れた白色とされている。ＬＥＤ基板１８は、表裏方向から視て、横長の長方形状をなし、その長手方向がシャーシ１７の長手方向と一致する向きで、シャーシ１７の底面に並べられている（図３参照）。シャーシ１７の底面は、その略全体が複数、具体的には、シャーシ１７の長手方向に５枚、短手方向に５枚、合計２５枚のＬＥＤ基板１８により覆われている。【００２１】
各ＬＥＤ基板１８には、金属膜からなる図示しない配線パターンが形成され、所定の位置にＬＥＤ１４が実装されている。ＬＥＤ１４は、ＬＥＤ基板１８の長手方向および短手方向に沿う方向に所定のピッチで並べられ、具体的には、各ＬＥＤ基板１８における長手方向に８個、短手方向に４個、計３２個が一定ピッチで並べられている。なお、ＬＥＤ基板１８には、ＬＥＤ１４の駆動を制御する制御基板（図示せず）が電気的に接続されている。【００２２】
ＬＥＤ基板１８には、導光板１５に設けられた位置決め突部１９が嵌合可能な位置決め孔２１が設けられている（図５参照）。また、ＬＥＤ基板１８には、導光板１５をＬＥＤ基板１８に固定するためのクリップ２２が係合可能なクリップ係合孔２３が設けられている（図４参照）。なお、ＬＥＤ基板１８は、シャーシ１７の底板に対して図示しないネジにより固定されている。【００２３】
ＬＥＤ基板１８とシャーシ１７の底面（表面）との間には、熱伝導性に優れた合成樹脂材料または金属材料からなる伝熱部材２４が介在している。また、シャーシ１７の外面（裏面）には、熱伝導性に優れた合成樹脂材料または金属材料からなる放熱部材２５が貼り付けられている。【００２４】
ＬＥＤ１４は、全体として横長な略ブロック状をなし、側面が発光面１４Ａとなる側面発光型のものである。ＬＥＤ１４は、その長手方向がＬＥＤ基板１８の長手方向と一致する向きで、ＬＥＤ基板１８に半田付けにより実装されている。詳しくは、ＬＥＤ１４は、その発光面１４ＡがＬＥＤ基板１８の短手方向に対して略直交するとともにＬＥＤ基板１８の表面に対して略垂直をなす姿勢で、かつ光軸がＬＥＤ基板１８の短手方向に対して略平行をなすとともにＬＥＤ基板１８の表面と略平行をなす姿勢で実装されている。各ＬＥＤ１４は、主発光波長の異なる３種類のＬＥＤチップ（図示せず）を内蔵しており、具体的には各ＬＥＤチップがＲ（赤色）、Ｇ（緑色）、Ｂ（青色）を単色発光するようになっている。【００２５】
ＬＥＤ基板１８の表面には、複数の導光板１５が、ＬＥＤ基板１８の表面を覆うように並べて配置されている。導光板１５は、屈折率が空気よりも十分に高く、ほぼ透明な（透光性に優れた）合成樹脂材料（例えばポリカーボネートなど）からなる。導光板１５は、表裏方向から見ると、全体として長方形状をなし、長手方向が、ＬＥＤ１４の光軸の方向と一致する向きで、ＬＥＤ基板１８に配置されている。【００２６】
導光板１５には、図６に示すように、導光板１５を短手方向に２分割する位置（導光板１５の短手方向の略中央位置）にスリット２６が形成されている。スリット２６は、導光板１５の長手方向の一端から他端側へ向かって真っ直ぐに延び、一端側は開放され、他端側は閉じた形態をなしている。【００２７】
導光板１５のうちスリット２６の両側には、互いに光学的に独立した単位導光体２７（本発明の導光体に該当する）が形成されている。各単位導光体２７を縁取る周面は、後述する張出部４０の周面を除き、ＬＥＤ基板１８の表面に対して略垂直をなして配置されている。【００２８】
導光板１５の長手方向の他端側の部分（スリット２６の形成されていない部分）は、ＬＥＤ基板１８に取り付けられる取付部２８とされている。２つの単位導光体２７は、Ｘ軸方向（導光板１５の短手方向）に並んだ状態で取付部２８を介在して一体に設けられ、一枚の導光板１５を構成している。【００２９】
取付部２８には、ＬＥＤ１４を収容する光源収容孔２９が、導光板１５の板厚方向に貫通形成されている。光源収容孔２９は、導光板１５の短手方向に長い長方形状をなし、その内周面のうちＬＥＤ１４の発光面１４Ａと対向する面が、ＬＥＤ１４からの光が入射する光入射面２９Ａとされている。【００３０】
光源収容孔２９は、導光板１５の短手方向に一対、所定の間隔を空けて設けられている。各光源収容孔２９は、各単位導光体２７の短手方向の略中央位置、言い換えると、導光板１５の短手方向の両端縁（長手方向に延びる両側縁）と、スリット２６との間の略中央位置に配されている。両光源収容孔２９は、各光源収容孔２９に収容されたＬＥＤ１４からの光が、隣接して配される単位導光体２７に入射しない位置に、それぞれ形成されている。【００３１】
また、取付部２８には、導光板１５をＬＥＤ基板１８に取り付けるためのクリップ２２を挿通可能なクリップ挿通孔３１が貫通形成されている。クリップ挿通孔３１は、取付部２８における幅方向（導光板１５の短手方向）の両端位置に設けられている。このクリップ挿通孔３１を挿通したクリップ２２を、ＬＥＤ基板１８のクリップ係合孔２３に挿入することで、導光板１５がＬＥＤ基板１８に対して取り付け状態に保持される（図４参照）。【００３２】
クリップ２２は、図４および図８に示すように、Ｘ軸方向に隣接して配置された導光板１５に跨って配される形態をなし、その隣り合う２枚の導光板１５を一度に固定可能とされている。また、クリップ２２は、クリップ係合孔２３に挿入する途中においてはクリップ係合孔２３に接触することで弾性変形し、クリップ係合孔２３に挿入完了後においては弾性復帰してＬＥＤ基板１８の裏面に係合する弾性係合片２２Ａを有している（図４参照）。これにより、クリップ２２をクリップ挿通孔３１からクリップ係合孔２３に押し込むだけのワンタッチ動作で、導光板１５をＬＥＤ基板１８に対して固定することができるようになっている。【００３３】
また、導光板１５の取付部２８には、ＬＥＤ基板１８上に実装されたフォトセンサ３２を収容可能なセンサ収容孔３３が形成されている。センサ収容孔３３は、一対の光源収容孔２９の間（スリット２６の軸線上）の位置に設けられている。【００３４】
各単位導光体２７は扁平な形状をなし、ＬＥＤ１４からの入射光を出射する出射部２７Ａと、この出射部２７ＡへＬＥＤ１４からの入射光を導く導光部２７Ｂとを有している。各単位導光体２７のうち光源収容孔２９側の部分が導光部２７Ｂ、反対側の部分が出射部２７Ａとされている。ＬＥＤ１４から照射されて光入射面２９Ａから単位導光体２７に入射した入射光は、導光部２７Ｂ内において全反射を繰り返しながら、できるだけ外部へ漏れ出ることなく出射部２７Ａ側へと導かれ、出射部２７Ａの光出射面３４（出射部２７Ａの表面）から出射される。なお、導光板１５のうち、取付部２８および各単位導光体２７の導光部２７Ｂは非発光部とされている。【００３５】
導光板１５の表面のうち取付部２８側の端縁から出射部２７Ａの途中位置までの部分は、出射部２７Ａ側へ向かって少しずつ表側へ傾く（少しずつＬＥＤ基板１８の表面から離れる）表斜面３５とされている（図５参照）。また、導光板１５の表面のうち表斜面３５の端縁から出射部２７Ａの先端までの部分は、ＬＥＤ基板１８の表面と略平行をなす表平面３６とされている。導光板１５の表面は、全体にわたり凹凸のない滑らかな面とされている。【００３６】
そして、各単位導光体２７の表面のうち出射部２７Ａの表面（表斜面３５の一部分と表平面３６の全面）は、各単位導光体２７の光出射面３４とされている。各単位導光体２７の光出射面３４は、表裏方向から見ると、導光板１５の長手方向に若干長い矩形状をなしている。【００３７】
また、各導光板１５の裏面のうち取付部２８の部分は、ＬＥＤ基板１８の表面と略平行をなす裏平面３７とされ、取付部２８の導光部２７Ｂ側の端縁から光出射部２７Ａの先端までの部分は、少しずつ表側へ傾く（少しずつＬＥＤ基板１８の表面から離れる）裏斜面３８とされている。【００３８】
導光板１５の厚さ寸法（表裏方向の寸法）は、導光板１５の板面方向に変化している。詳しくは、取付部２８の厚さ寸法は、下端から導光部２７Ｂ側へ向かって少しずつ大きくなり、導光部２７Ｂの厚さ寸法は、ほぼ一定とされ、出射部２７Ａの厚さ寸法は、表平面３６を除く部分においてはほぼ一定、表平面３６の部分においては先端側（導光部２７Ｂとは反対側）へ向かって少しずつ小さくなっている。【００３９】
各単位導光体２７の裏面のうち出射部２７Ａの裏面（光出射面３４とは反対側の面）は、光を散乱させる散乱面３９とされている。この散乱面３９において光を散乱させることで、光出射面３４に対する光の入射角が臨界角よりも小さくなるようにし、光出射面３４において全反射ができるだけ起こらないようにしている。また、散乱面３９には微細な凹凸加工が施され、詳しくは、散乱面３９には、各単位導光体２７の短手方向に直線的に延びる多数の溝が形成され、その溝の並列ピッチは導光部２７Ｂ側から出射部２７Ａの先端側へ向かって（上側に向かって）次第に狭くなる設定とされている（図７参照）。これにより、光出射面３４のうちＬＥＤ１４に近い側と遠い側とにおける輝度の差をできるだけ小さくし、輝度がほぼ均一になるようにしている。【００４０】
なお、各単位導光体２７の取付部２８寄りの位置には、ＬＥＤ基板１８の位置決め孔２１に挿入されて、ＬＥＤ基板１８に対して導光板１５を位置決めする位置決め突部１９が設けられている。【００４１】
複数の導光板１５は、各単位導光体２７の光出射面３４が面方向（ＬＥＤ基板１８の表面に対して略平行方向）にほぼ隙間無く並ぶようにして、ＬＥＤ基板１８の表面に配置されている。導光板１５は、取付部２８を下側（Ｙ軸方向負側）に、出射部２７Ａを上側（Ｙ軸方向正側）に向けた姿勢で、ＬＥＤ基板１８の表面に並べられている（図８参照）。【００４２】
複数の導光板１５は、Ｘ軸方向およびＹ軸方向に並べて配置されている。導光板１５は、長手方向の一端部を互いに重ね合わせてＹ軸方向に一列に並べられるとともに、その一列に並べられた導光板１５群が、Ｘ軸方向に所定の間隔を空けて並べられている。導光板１５群は、一の単位導光体２７の導光部２７Ｂの表側に、他の単位導光体２７の出射部２７Ａを重ねるようにして配置され、言い換えると、一の導光板１５の非発光部（取付部２８から導光部２７Ｂにわたる部分）の表側に、他の導光板１５の発光部（出射部２７Ａ）を重ねるようにして並べられている（図５参照）。こうして、導光板１５群の光出射面３４は、Ｙ軸方向にほぼ隙間無く一列に並べられた状態になる。【００４３】
そして、Ｙ軸方向に重ねて並べられた導光板１５群は、Ｘ軸方向に所定の間隔（スリット２６と同等の間隔）を空けて並べられている。導光板１５群同士は、後述する張出部４０を除き、互いに重ならないように配置されている（図８参照）。こうして、Ｙ軸方向に並べられた光出射面３４がＸ軸方向にも並べられ、すべての導光板１５の光出射面３４（すべての単位導光体２７の光出射面３４）が、ＬＥＤ基板１８の表面の略全体（シャーシ１７の底面の略全体）に敷き詰められた状態で配置されている。なお、光源ユニット１６に備えられたすべての単位導光体２７の光出射面３４が、光源ユニット１６の光出射面１６Ａを構成している。【００４４】
そして、導光板１５の両端縁部（単位導光体２７の並列方向の両端の縁部）には、張出部４０が設けられている（図６および図７参照）。張出部４０は、各単位導光体２７の両側縁のうちスリット２６とは反対側の側縁に沿って設けられている。張出部４０は、各単位導光体２７の取付部２８およぼ出射部２７Ａを除く範囲、すなわち導光部２７Ｂのみに設けられている。張出部４０は、導光部２７Ｂの長手方向の全体にわたり設けられている。【００４５】
張出部４０は、単位導光体２７の側縁から略楔状をなして張り出している(図４および図９参照）。張出部４０の表裏方向寸法は、単位導光体２７の導光部２７Ｂの表裏方向寸法（板厚寸法）と同等の寸法とされ、張出部４０の張り出し寸法（導光板１５の端縁からの突出寸法）は、最大でスリット２６の幅寸法と同等の寸法とされている。張出部４０の張り出し端面は、その全体が、導光板１５の板面に対して傾斜する傾斜面４１とされている。【００４６】
一枚の導光板１５に設けられた一対の張出部４０のうち一方の張出部４０（以後、第１張出部４０Ａと称する）の傾斜面４１（同、第１傾斜面４１Ａと称する）は、裏側へ向かって少しずつ張り出し寸法が小さくなる傾きをなしている。また、一対の張出部４０のうち他方の張出部４０（同、第２張出部４０Ｂと称する）の傾斜面４１（同、第２傾斜面４１Ｂと称する）は、表側へ向かって少しずつ張り出し寸法が小さくなる傾きをなしている。第１傾斜面４１Ａおよび第２傾斜面４１Ｂは略同一勾配をなし、互いに略平行をなしている。【００４７】
そして、Ｘ軸方向に隣接して配置された導光板１５のうち互いに対向する両側縁部には、一方に第１張出部４０Ａが、他方に第２張出部４０Ｂが配された状態になっている。このＸ軸方向に対向する両側縁部に設けられた第１張出部４０Ａと第２張出部４０Ｂとは、表裏方向に重なって配置されている。このとき、第１傾斜面４１Ａと第２傾斜面４１Ｂとは表裏方向に対向するとともに、互いに平行をなしている。表裏方向に重なって配置された第１張出部４０Ａと第２張出部４０Ｂとは、表側に位置する他の導光板１５の出射部２７Ａの間の隙間から表側に臨んだ状態になっている。言い換えると、Ｘ軸方向に隣り合う導光板１５の出射部２７Ａの間の隙間は、裏側に位置する導光板１５の第１張出部４０Ａと第２張出部４０Ｂとによって塞がれた状態になっている。【００４８】
そして、単位導光体２７の裏面（導光板１５の裏面）には、単位導光体２７の内部へ光を反射させる反射シート５１が備えられている。反射シート５１は、導光板１５の裏面のうち取付部２８を除く領域、言い換えると、２つの単位導光体２７の導光部２７Ｂから出射部２７Ａにわたる領域（スリット２６を含み、かつ張出部４０を含まない）と同等の面積を有する若干縦長の方形状をなしている（図７参照）。反射シート５１は、表面が光の反射性に優れた白色を呈する合成樹脂製とされている。反射シート５１は、スリット２６を挟んで並列する単位導光体２７間に跨って配置されている。なお、反射シート５１は、透明な接着剤（図示せず）により導光板１５の裏面に接着されている。【００４９】
さらに、導光板１５の裏面には、導光板１５に接着された反射シート５１とは別に、Ｘ軸方向に隣接する導光板１５間に跨って、補助反射シート５２が配置されている（図４および図９参照）。補助反射シート５２は、反射シート５１と略同形・同大をなし、反射シート５１と同じく表面が光の反射性に優れた白色を呈する合成樹脂製とされている。補助反射シート５２は、その短手方向の略中央位置が、Ｘ軸方向に隣接する導光板１５の境界に位置するように配置されている。言い換えると、補助反射シート５２は、短手方向の略半分ずつが、Ｘ軸方向に隣接する導光板１５のそれぞれの裏側に配置されている。補助反射シート５２は、Ｘ軸方向に隣接して配置された異なる導光板１５の単位導光体２７間に跨って配置されている。【００５０】
バックライト装置１３は、光源ユニット１６の表側（光出射面３４側）に配された光学部材５３を有している。光学部材５３は、２枚の光拡散板５４と光学シート５５とからなる（図２参照）。光拡散板５４は、輝度の均一性を確保するためのものであり、光源ユニット１６の光出射面３４と近接して配置されている。また、光学シート５５は、光拡散板５４の表側（液晶パネル１１側）に備えられ、裏側から順に、拡散シート、レンズシート、反射型偏光シートとが積層してなるものである。【００５１】
シャーシ１７の周縁部には、光拡散板５４の周縁部を全周にわたり裏側から支持する支持部材５６が設けられている（図４および図５参照）。また、光拡散板５４の周縁部と液晶パネル１１の周縁部との間にはフレーム５７が設けられ、光拡散板５４の周縁部は、支持部材５６とフレーム５７との間に挟まれている。そして、液晶パネル１１の周縁部の表側にはベゼル５８が設けられ、液晶パネル１１の周縁部は、ベゼル５８とフレーム５７との間に挟まれている。なお、光学シート５５は、光拡散板５４と液晶パネル１１との間に挟まれて保持されている。液晶表示装置１０は、ベゼル５８、フレーム５７およびシャーシ１７が複数箇所においてネジ５９により固定されることで一体に組み付けられている。【００５２】
次に、上記のように構成された実施形態１の作用および効果について説明する。
本実施形態では、単位導光体２７は扁平な形状をなし、ＬＥＤ１４からの入射光を出射する出射部２７Ａと、ＬＥＤ１４からの入射光を出射部２７Ａへ導く導光部２７Ｂとを有し、また、Ｘ軸方向に隣接する導光板１５同士の互いに対向する両側縁部には、表裏方向にずれて張り出す張出部４０が設けられ、複数の導光板１５は、Ｙ軸方向においては、一の導光板１５の単位導光体２７の導光部２７Ｂの表側に他の導光板１５の単位導光体２７の出射部２７Ａを重ねるようにして並べられ、Ｘ軸方向においては、張出部４０（第１張出部４０Ａおよび第２張出部４０Ｂ）を表裏方向に重ねるようにして並べられている。【００５３】
これにより、導光板１５の配置にばらつきが生じても、並列する導光板１５の間には、表裏方向に真っ直ぐ貫く隙間（発光しない部分）が大きく開きにくくなっているから、複数の導光板１５の間に暗線が表示されることを防止でき、もって表示品質の低下を防ぐことができる。【００５４】
また、張出部４０は、単位導光体２７の導光部２７Ｂに設けられている。これにより、表裏方向に重なって配置された第１張出部４０Ａと第２張出部４０Ｂとが、その表側に位置する導光板１５の出射部２７Ａの間に配される。したがって、第１張出部４０Ａおよび第２張出部４０Ｂから漏れ出た光が出射部２７Ａの間の隙間を照らすから、暗線が表示されることを防止できる。また、単位導光体２７の導光部２７Ｂは、出射部２７Ａに比べて厚さ寸法が大きいから、張出部４０を出射部２７Ａに設ける場合に比べて、張出部４０の形成を容易にすることができる。【００５５】
そして、反射シート５１は、スリット２６を挟んで並列する単位導光体２７間に跨って配置され、補助反射シート５２は、Ｘ軸方向に隣接する導光板１５の単位導光体２７間に跨って配置されている。これにより、各単位導光体２７から漏れた光は反射シート５１または補助反射シート５２に反射され、この反射された光が隣接する単位導光体２７の間を照らすから、暗線が表示されることを防止することができる。【００５６】
＜実施形態２＞
次に、本発明の実施形態２に係る液晶表示装置７０を図１０によって説明する。
本実施形態の液晶表示装置７０は、張出部７１の形状が異なる点で、実施形態１とは相違する。なお、実施形態１と同様の構成には同一符号を付して重複する説明を省略する。【００５７】
本実施形態にかかる液晶表示装置７０は、実施形態１と同様、画像を表示可能な液晶パネル１１と、液晶パネル１１に向けて光を照射するバックライト装置１３とを有している。そして、バックライト装置１３は、実施形態１と同様、ＬＥＤ１４と導光板１５とを平面状に複数並べて配置した光源ユニット１６と、この光源ユニット１６の表側に配された光学部材５３とを有している。【００５８】
そして、導光板１５には、実施形態１と同様、スリット２６が形成され、スリット２６の両側には、互いに光学的に独立した単位導光体２７が形成されている。各単位導光体２７は、実施形態１と同様、ＬＥＤ１４から入射された光を出射する出射部２７Ａと、この出射部２７ＡへＬＥＤ１４からの光を導く導光部２７Ｂとを有している。【００５９】
そして、導光板１５の両端縁部には、実施形態１と同様、張出部７１が設けられている。張出部７１は、導光板１５の端縁部のうち表側の部分または裏側の部分から張り出している。張出部７１の断面は方形状をなし、その表裏方向寸法は、単位導光体２７の導光部２７Ｂの表裏方向寸法（板厚寸法）の約半分とされ、また張り出し寸法は、スリット２６の幅寸法と同等の寸法とされている。張出部７１の張り出し寸法は、表裏方向に略一定とされている。そして、張出部７１の張り出し端面は、導光板１５の板面に対して略垂直をなしている。【００６０】
一枚の導光板１５に設けられた一対の張出部７１のうち第１張出部７１Ａは導光板１５の表側に設けられ、第２張出部７１Ｂは裏側に設けられている。第１張出部７１Ａおよび第２張出部７１Ｂは、略同形・同大をなしている。第１張出部７１Ａの表面は、導光板１５の表面と段差のない平坦な面を形成し、第２張出部７１Ｂの裏面は、導光板１５の裏面と段差のない平坦な面を形成している。【００６１】
そして、第１張出部７１Ａの裏面および第２張出部７１Ｂの表面（表裏方向に重なり合う第１張出部７１Ａおよび第２張出部７１Ｂのうち表裏方向に対向する面）は、導光板１５の板面（単位導光体２７の板面）に対して略平行な平坦面７２Ａ，７２Ｂとされ、互いに略平行をなしている。なお、第１張出部７１Ａおよび第２張出部７１Ｂが設けられることで、導光板１５のうち導光部２７Ｂの側面は階段状をなしている。【００６２】
Ｘ軸方向に隣接して配置された導光板１５の互いに対向する両側縁部には、実施形態１と同様、一方には第１張出部７１Ａが、他方には第２張出部７１Ｂが設けられ、第１張出部７１Ａと第２張出部７１Ｂとは表裏方向に重なって配置されている。表裏方向に重なって配置された第１張出部７１Ａと第２張出部７１Ｂは、実施形態１と同様、その表側に位置する導光板１５の出射部２７Ａの間に配されている。【００６３】
以上のように実施形態２においては、複数の導光板１５は、実施形態１と同様、Ｘ軸方向およびＹ軸方向に、互いに表裏方向に重なって配置されているから、導光板１５の配置にばらつきが生じても、導光板１５間には、表裏方向に真っ直ぐ貫く隙間が大きく開きにくく、複数の導光板１５の間に暗線が表示されることを防止でき、もって表示品質の低下を防ぐ効果を得ることができる。【００６４】
＜他の実施形態＞
本発明は上記記述及び図面によって説明した実施形態に限定されるものではなく、例えば次のような実施形態も本発明の技術的範囲に含まれる。【００６５】
（１）実施形態２では、第１張出部７１Ａの裏面および第２張出部７１Ｂの表面は、導光板１５の板面に対して略平行な平坦面７２Ａ，７２Ｂとされているが、これに限らず、第１張出部の裏面および第２張出部の表面は、導光板の板面に対して傾く傾斜面とされていてもよい。【００６６】
（２）実施形態２では、第１張出部７１Ａおよび第２張出部７１Ｂは略同形・同大をなしているが、これに限らず、第１張出部および第２張出部は、異なる形状、異なる大きさとしてもよく、例えば第１張出部の表裏方向寸法（厚さ寸法）が、第２張出部の表裏方向寸法（厚さ寸法）よりも小さく設定されたものであってもよい。【００６７】
（３）上記実施形態では、張出部４０（７１）は、単位導光体２７の導光部２７Ｂのみに設けられているが、これに限らず、例えば、図１１に示すように、張出部８０は単位導光体２７の出射部２７Ａのみに設けられていてもよい。このような構成によれば、出射部２７Ａの張出部８０が表裏方向に重なるから、上記実施形態と同様、出射部２７Ａの間には表裏方向に真っ直ぐ貫く隙間が大きく開きにくく、暗線が表示されることを防ぐことができる。【００６８】
（４）上記実施形態では、張出部４０（７１）は、単位導光体２７の導光部２７Ｂのみに設けられているが、これに限らず、例えば、図１２に示すように、張出部９０は単位導光体２７の導光部２７Ｂから出射部２７Ａにわたる範囲に設けられていてもよい。【００６９】
（５）上記実施形態では、張出部４０（７１）は、導光板１５の両端縁部のみに設けられているが、これに限らず、例えば、図１３に示すように、導光板１５の両端縁部に設けられた張出部４０に加えてスリット２６にも張出部１００を設けてもよい。これにより、一の導光板１５に並列して設けられた単位導光体２７間には表裏方向に真っ直ぐ貫く大きな隙間ができないから、暗線が表示されることを防ぐことができる。
【図１】
2010067674.tif 000003
【図２】
2010067674.tif 000004
【図３】
2010067674.tif 000005
【図４】
2010067674.tif 000006
【図５】
2010067674.tif 000007
【図６】
2010067674.tif 000008
【図７】
2010067674.tif 000009
【図８】
2010067674.tif 000010
【図９】
2010067674.tif 000011
【図１０】
2010067674.tif 000012
【図１１】
2010067674.tif 000013
【図１２】
2010067674.tif 000014
【図１３】
2010067674.tif 000015
【国際調査報告】
2010067674.tif 000016
2010067674.tif 000017
2010067674.tif 000018
2010067674.tif 000019